(57)【要約】  カバーは、着脱可能な圧力容器の蓋に設けられ、このカバーは、蓋と圧力容器との接合部を覆って延びる周辺フランジを有し、万一のシール漏れ、又は、蓋締結具の解放時に残留圧力がある場合に、漏れた加圧流体を作業者から離れる方向に向ける。スイングボルト等の締結具は、蓋のフランジのスロットに係合し、フローシールドは、締結具上に設けられて、スロット及び締結具の周囲に漏れる流体の方向をそらす。【選択図】図１
2013533437.tif 000002
【特許請求の範囲】
【請求項１】
着脱可能な閉止具及びユーザー圧力解放保護機能を有する圧力容器において、
（ａ）開口端の周囲にシール面が配置された略カップ形状の圧力室を形成する構造と、
（ｂ）前記カップ形状の前記開口端を覆って取外し可能に配置された前記閉止具と、
（ｃ）前記閉止具と前記シール面との間を密封するように配置されたシール部材と、
（ｄ）前記圧力容器を覆う位置に前記閉止具を保持する複数のクイックリリース式の締結具と、
（ｅ）前記締結具を覆って配置されて、シール不良の場合、締結具の周囲に漏れる流れをユーザーから離れた方向に向ける着脱可能なフローシールドと、を備え、前記閉止具は、前記締結具の解放の際、前記閉止具の他の部分に漏れる加圧流体をユーザーから離れた方向に向けるように配置されたディフレクタ面を含むことを特徴とする圧力容器。
【請求項２】
前記締結具は、前記閉止具の切欠に係合するスイングボルトを含むことを特徴とする請求項１に記載の圧力容器。
【請求項３】
前記フローシールドは、前記切欠を覆って取付けられて、前記スイングボルトによって保持される部材を備えていることを請求項２に記載の圧力容器。
【請求項４】
前記締結具は、前記閉止具の周囲で前記切欠に係合するアイボルトを含み、前記フローシールドは、前記切欠を覆って延びる部分を有し前記閉止具上に配置された部材を含むことを特徴とする請求項１に記載の圧力容器。
【請求項５】
前記シール部材は、可撓性材料の環状シールを備えることを特徴とする請求項１に記載の圧力容器。
【請求項６】
前記フローシールドは、各前記締結具を覆って取付けられて、前記締結具と共に保持される部材を備えることを特徴とする請求項１に記載の圧力容器。
【請求項７】
複数の前記締結具は、前記スイングボルトを含み、前記フローシールドは、前記フローシールドを前記スイングボルトに固定するために前記スイングボルトを受入れる部分を有する部材を含むことを特徴とする請求項１に記載の圧力容器。
【請求項８】
前記締結具は、前記圧力室に回動可能に係合するアイボルトを含むことを特徴とする請求項１に記載の圧力容器。
【請求項９】
前記フローシールドは、複数の前記締結具のそれぞれを覆って延びている部分を有し前記閉止具上に取付けられる一体部材を備えることを特徴とする請求項１に記載の圧力容器。
【請求項１０】
複数の前記締結具は、スイングボルトを含むことを特徴とする請求項９に記載の圧力容器。
【発明の詳細な説明】
【背景技術】
【０００１】
本開示は、容器の中身への自由なアクセスのために着脱可能な閉止具を有する開口端を有するタイプの容器からの加圧流体の放出を制御するための安全装置に関する。このタイプの圧力容器は、圧力容器内に配置されたフィルタ要素を通して流体をろ過するのに用いることが多く、フィルタ要素は、清掃、又は、交換のために定期的な取外しを必要とする。通常、容器は、圧力下で流体を容器内に収容されたフィルタ要素に通過させるために、流体システムにおいて直列に接続される入口及び出口を含む。そのような圧力容器は、通常、圧力容器の開口端上に配置されて、ボルト又はトグルクランプ等の締結具によって固定され、Ｏリング又はガスケット等のシールによって圧力容器の開口端を密封するヘッダー又は閉止板を用いる。
【０００２】
閉止具又は蓋のシールの漏れは、加圧流体の好ましくない放出を許し、これにより、ユーザーに対して危険を引起す。また、万一、作業者が締結具又はクランプの取外しを始める前に、容器が完全に減圧されない場合、締結具が解放されたとき、フランジとカバープレートの下面との間から漏れる残留加圧流体が作業者に危険な状態を引起す虞がある。
【０００３】
このため、シール漏れ、又は、容器の閉止具又は蓋の取外しのための減圧時に、圧力容器からの高圧力下の流体漏れの危険を減少する方法又は手段を提供することが望まれる。
【発明の概要】
【０００４】
本開示は、万一、シール不良の場合、作動中に圧力容器から高圧力下の流体の危険な漏れ防止、更に、圧力容器の内部へアクセスするためにブリードバルブを開けた後、作業者が圧力容器の閉止具又は蓋の締結具を緩めて、それを取外す際の問題の解決法を提供する。圧力容器の蓋又は閉止具は、その周囲に延びて蓋に略垂直なフランジを有し、蓋を保持する締結具がユーザーによって解放されたとき、蓋と圧力容器との間から漏れる流体を圧力容器の壁に略平行な方向に向け、これにより、漏れる流体を作業者又はユーザーから離れた方向に向ける。
【０００５】
閉止具は、容器の壁に回転可能に取付けられ、かつ、閉止具の切欠又はスロットの開口に係合するスイングボルトによって締結される。フローシールドは、締結具の領域に漏れる高圧力下の流体の噴出からユーザーを保護するために、スロット及びボルトの周囲に漏れる流体の方向を変えるためにスイングボルトに設けられている。
【図面の簡単な説明】
【０００６】
【図１】蓋及び蓋に装着されたフローシールドと共に組立てられた圧力容器の上面図である。
【図２】図１の２−２線に沿った断面図である。
【図３】フローシールドを装着した閉止具の拡大図である。
【図４】図３の４−４線に沿った断面図である。
【図５】フローシールドが配置された蓋の斜視図である。
【図６】フローシールドの側面図である。
【図７】図６のシールドの下面図である。
【図８】図６の８−８線に沿った断面図である。
【図９】蓋の取外しのためにスイングボルトが下方位置にある状態を示す図１と同様の図である。
【発明を実施するための形態】
【０００７】
図１−４を参照すると、本開示に従う例示的な圧力容器アセンブリは、全体として符号１０で示され、比較的薄肉の圧力容器部材１２を有する。容器部材１２は、一般的に円形の横断面を有し、その上に設けられた環状のフランジ１６を有する全体として符号１４で示される開口端を有し、フランジ１６は、それに形成された環状の溝１８を有し、環状の溝１８は、Ｏリング等の弾性環状シール部材２０を受入れる。容器１２は、圧力容器が流体フィルタ（図示せず）を収容するために用いられる場合、例えば、流体圧力又はフローラインへの接続のために図２に参照符号２２で示される少なくとも１つの流体ラインコネクタ継手を備えている。流入及び流出用に図示しない別の流体継手を設けることができることが分かるであろう。
【０００８】
圧力容器部１２は、全体として符号２４で示される蓋又は閉止具を有し、この蓋２４は、図２に図示された例においては、比較的厚い環状フランジ部２６が周囲に配置された全体的に凹状の中心部を有する。フランジ２６には、以下に説明するように、締結具を受入れるために、円周方向に間隔をあけた複数の切欠又はスロット２８が設けられる。
【０００９】
圧力容器のフランジ１６上には、円周方向に間隔をあけて半径方向外向きに延びる複数の突起３０が設けられ、これら突起３０は、クロスピン３２を有し、各ピン３２は、スイングボルト３４のアイ部分を回動可能に受け、スイングボルト３４は、蓋２４のフランジ２６のスロット２８を通って上方に延びるネジ部を有する。
【００１０】
全体として符号３６で示されるカバープレートは、蓋２４に被せられ、カバープレート３６には、複数の切欠３８が形成され、各切欠３８は、スイングボルト３４の１つを受入れ、蓋又は閉止具２４は、スイングボルト３４のそれぞれに螺合する環状のナット４０、あるいは、菊ナットによって容器１２に固定される。
【００１１】
図１−図８を参照すると、カバー３６は、カバー３６上に設けられ、その周囲に広がり下方に延びているフランジ４２を有する。フランジ４２の下側は、カバーフランジ２６の下側とシールリング２０との間から漏れる加圧流体の噴出を容器１２の壁に沿って下方にそらすのに役立つ。
【００１２】
しかしながら、カバー３６に形成された切欠又はスロット３８は、加圧流体の噴出がスイングボルト３４の周囲、及び、切欠３８を通って漏れる開口領域を設けることが分かるであろう。
【００１３】
加圧流体の噴出がスロット３８及びスイングボルト３４の周囲を通って外部へ漏れるのを阻止するために、全体として符号４４で示される流体流シールド、又は、噴出シールドは、各スロット３８の周囲に、及び、スイングボルト３４を覆って配置されている。シールド４４は、以下に説明するように、スイングボルト３４によって保持されるように構成され、スロット３８及びスイングボルト３４の周囲を通って漏れる流れを下方に向けて、ユーザー又は作業者から離すように機能する。
【００１４】
特に図５を参照すると、カバー３６及びスイングボルト３４を覆うシールド４４の組立て前において、スロット３８のそれぞれに噴出シールド４４の１つが配置された状態で示されている。
【００１５】
図６−図８を参照すると、例示的な噴出シールド（フローシールド）４４は、プレート部４６を有するように示され、その内面がスロット３８及びスイングボルト３４の周囲に漏れる高圧流を受けて下方向に向きを変えるように作用する。プレート４６は、プレート４６に一体に形成され、又は、溶接等によってそれに取付けられた内側に延びるリブ４８を有し、リブ４８上には、スイングボルト３４の１つを受入れる中空円筒部５０が設けられている。図示の例では、プレート４６は、プレート４６上に設けられて、プレート４６に沿って上方へ、プレート４６の上端に沿って形成された半径方向内側に曲がって延びるフランジ部５４まで延びる補強リブ５２，５２を有する。
【００１６】
これにより、各シールド４４は、カバー３６のスロット３８を覆って、カバーフランジ４２の外面に平らに配置されたとき、切欠又はスロット３８の１つ、及び、スイングボルト３４の１つを覆って、ユーザーが環状のナット４０を緩めた際、スロット３８を通って高圧流体が漏れるのを防ぐ。
【００１７】
環状のナット４０を緩めることによって容器内の圧力を開放した後、ユーザーは、スイングボルト３４をスロット３８の外側及び下方に回動させて、カバー及び閉止具２４を解放して取外すことができることが分かる。
【００１８】
図９を参照すると、スイングボルト３４は、ナット４０を緩めて、ボルト３４をピン３２の回りにスロット２８の外側へ回動した後の解放位置、すなわち、下方位置に示され、これにより、閉止具２４を解放して取外す。シールド４４は、ボルト３４と共に回動する。
【００１９】
このように、本開示は、圧力容器のカバー又は蓋をスイングボルトによって保持して、ユーザー又は作業者による迅速な解放及び取外し可能にする技術を説明する。万一、蓋のシール漏れ、あるいは、減圧後に容器内に残留圧力がある場合、スイングボルトに取付けられて閉止具又は蓋のスロットを覆う噴出シールによってスイングボルト用スロットの領域から漏れる高圧力流体は、方向をそらされる。
【００２０】
好ましい実施形態を参照して例示的な実施形態を説明してきた。上述の詳細な説明を読んで、理解することにより他者が改良及び変更を思い付くことは、明らかであろう。例示的な実施形態は、添付された特許請求の範囲の技術的範囲又はそれに均等なものである限り、そのような全ての改良及び変更を含むと解釈されるものとする。
【図１】
2013533437.tif 000003
【図２】
2013533437.tif 000004
【図３】
2013533437.tif 000005
【図４】
2013533437.tif 000006
【図５】
2013533437.tif 000007
【図６】
2013533437.tif 000008
【図７】
2013533437.tif 000009
【図８】
2013533437.tif 000010
【図９】
2013533437.tif 000011
【国際調査報告】
2013533437.tif 000012
2013533437.tif 000013
2013533437.tif 000014